【手続補正書】
【提出日】平成25年3月4日(2013.3.4)
【手続補正１】
【補正対象書類名】特許請求の範囲
【補正対象項目名】全文
【補正方法】変更
【補正の内容】
【特許請求の範囲】
【請求項１】
動画像を構成する複数の画像を入力する入力手段と、
入力された前記画像を画面内予測又は画面間予測のいずれかの方法で符号化することで、ランダムアクセスとなる画像であるランダムアクセス画像、を含む圧縮画像データを生成するとともに、前記画像の表示順番情報に関するデータを符号化する符号化手段と、
生成された前記圧縮画像データを復号することで再生画像を復元する復元手段と、
復元された前記再生画像を、後続の画像を符号化するために用いられる参照画像として格納する画像格納手段と、
前記画像格納手段を制御するメモリ管理手段と、を具備し、
前記メモリ管理手段は、前記ランダムアクセス画像を生成する符号化処理が完了した後、最初に、表示順番情報が前記ランダムアクセス画像の表示順番情報より大きい画像を符号化する直前又は直後に、前記画像格納手段に格納された参照画像のうち、前記ランダムアクセス画像を除く参照画像について不要と設定することで、前記画像格納手段をリフレッシュする、
ことを特徴とする動画像予測符号化装置。
【請求項２】
前記符号化手段は、
表示順番情報が前記ランダムアクセス画像の表示順番情報より大きく且つ前記ランダムアクセス画像を生成する符号化処理の完了後に最初に符号化対象となる画像、を含む１つ以上の符号化対象画像の表示順番情報に関するデータとして、前記符号化対象画像の表示順番情報と前記ランダムアクセス画像の表示順番情報との差分値を符号化する、
ことを特徴とする請求項１に記載の動画像予測符号化装置。
【請求項３】
前記符号化手段は、
前記ランダムアクセス画像の次に符号化対象となる画像から、
表示順番情報が前記ランダムアクセス画像の表示順番情報より大きく且つ前記ランダムアクセス画像を生成する符号化処理の完了後に最初に符号化対象となる画像まで、
の各画像については、
各画像の表示順番情報に関するデータとして、当該各画像の表示順番情報と前記ランダムアクセス画像の表示順番情報との差分値を符号化する、
ことを特徴とする請求項１に記載の動画像予測符号化装置。
【請求項４】
動画像を構成する複数の画像を画面内予測又は画面間予測のいずれかの方法で符号化することで得られた、ランダムアクセスとなる画像であるランダムアクセス画像を含む圧縮画像データ、及び、前記画像の表示順番情報に関するデータを符号化することで得られた表示順番符号化データを入力する入力手段と、
前記圧縮画像データを復号することで再生画像を復元するとともに、前記表示順番符号化データを復号することで表示順番情報を復元する復元手段と、
復元された前記再生画像を、後続の画像を復号するために用いられる参照画像として格納する画像格納手段と、
前記画像格納手段を制御するメモリ管理手段と、を具備し、
前記メモリ管理手段は、前記ランダムアクセス画像を復号する復号処理が完了した後、最初に、表示順番情報が前記ランダムアクセス画像の表示順番情報より大きい画像を復号する直前又は直後に、前記画像格納手段に格納された参照画像のうち、前記ランダムアクセス画像を除く参照画像について不要と設定することで、前記画像格納手段をリフレッシュする、
ことを特徴とする動画像予測復号装置。
【請求項５】
前記復元手段は、
表示順番情報が前記ランダムアクセス画像の表示順番情報より大きく且つ前記ランダムアクセス画像を復号する復号処理の完了後に最初に復号対象となる画像、を含む１つ以上の復号対象画像の表示順番情報については、
当該復号対象画像の表示順番符号化データを復号して得られた、当該復号対象画像の表示順番情報と前記ランダムアクセス画像の表示順番情報との差分値と、
前記ランダムアクセス画像の表示順番情報とを、
加算することで、
当該復号対象画像の表示順番情報を復元する、
ことを特徴とする請求項４に記載の動画像予測復号装置。
【請求項６】
前記復元手段は、
前記ランダムアクセス画像の次に復号対象となる画像から、
表示順番情報が前記ランダムアクセス画像の表示順番情報より大きく且つ前記ランダムアクセス画像を生成する復号処理の完了後に最初に復号対象となる画像まで、
の各画像についての表示順番情報については、
当該各画像の表示順番符号化データを復号して得られた、当該各画像の表示順番情報と前記ランダムアクセス画像の表示順番情報との差分値と、
前記ランダムアクセス画像の表示順番情報とを、
加算することで、
当該各画像の表示順番情報を復元する、
ことを特徴とする請求項４に記載の動画像予測復号装置。
【請求項７】
後続の画像を符号化するために用いられる参照画像を格納するための画像格納手段を備える動画像予測符号化装置、により実行される動画像予測符号化方法であって、
動画像を構成する複数の画像を入力する入力ステップと、
入力された前記画像を画面内予測又は画面間予測のいずれかの方法で符号化することで、ランダムアクセスとなる画像であるランダムアクセス画像、を含む圧縮画像データを生成するとともに、前記画像の表示順番情報に関するデータを符号化する符号化ステップと、
生成された前記圧縮画像データを復号することで再生画像を復元する復元ステップと、
復元された前記再生画像を、後続の画像を符号化するために用いられる参照画像として前記画像格納手段に格納する画像格納ステップと、
前記画像格納手段を制御するメモリ管理ステップと、を具備し、
前記メモリ管理ステップにおいて前記動画像予測符号化装置は、
前記ランダムアクセス画像を生成する符号化処理が完了した後、最初に、表示順番情報が前記ランダムアクセス画像の表示順番情報より大きい画像を符号化する直前又は直後に、前記画像格納手段に格納された参照画像のうち、前記ランダムアクセス画像を除く参照画像について不要と設定することで、前記画像格納手段をリフレッシュする、
ことを特徴とする動画像予測符号化方法。
【請求項８】
前記符号化ステップにおいて前記動画像予測符号化装置は、
表示順番情報が前記ランダムアクセス画像の表示順番情報より大きく且つ前記ランダムアクセス画像を生成する符号化処理の完了後に最初に符号化対象となる画像、を含む１つ以上の符号化対象画像の表示順番情報に関するデータとして、前記符号化対象画像の表示順番情報と前記ランダムアクセス画像の表示順番情報との差分値を符号化する、
ことを特徴とする請求項７に記載の動画像予測符号化方法。
【請求項９】
前記符号化ステップにおいて前記動画像予測符号化装置は、
前記ランダムアクセス画像の次に符号化対象となる画像から、
表示順番情報が前記ランダムアクセス画像の表示順番情報より大きく且つ前記ランダムアクセス画像を生成する符号化処理の完了後に最初に符号化対象となる画像まで、
の各画像については、
各画像の表示順番情報に関するデータとして、当該各画像の表示順番情報と前記ランダムアクセス画像の表示順番情報との差分値を符号化する、
ことを特徴とする請求項７に記載の動画像予測符号化方法。
【請求項１０】
後続の画像を復号するために用いられる参照画像を格納するための画像格納手段を備える動画像予測復号装置、により実行される動画像予測復号方法であって、
動画像を構成する複数の画像を画面内予測又は画面間予測のいずれかの方法で符号化することで得られた、ランダムアクセスとなる画像であるランダムアクセス画像を含む圧縮画像データ、及び、前記画像の表示順番情報に関するデータを符号化することで得られた表示順番符号化データを入力する入力ステップと、
前記圧縮画像データを復号することで再生画像を復元するとともに、前記表示順番符号化データを復号することで表示順番情報を復元する復元ステップと、
復元された前記再生画像を、後続の画像を復号するために用いられる参照画像として前記画像格納手段に格納する画像格納ステップと、
前記画像格納手段を制御するメモリ管理ステップと、を具備し、
前記メモリ管理ステップにおいて前記動画像予測復号装置は、
前記ランダムアクセス画像を復号する復号処理が完了した後、最初に、表示順番情報が前記ランダムアクセス画像の表示順番情報より大きい画像を復号する直前又は直後に、前記画像格納手段に格納された参照画像のうち、前記ランダムアクセス画像を除く参照画像について不要と設定することで、前記画像格納手段をリフレッシュする、
ことを特徴とする動画像予測復号方法。
【請求項１１】
前記復元ステップにおいて前記動画像予測復号装置は、
表示順番情報が前記ランダムアクセス画像の表示順番情報より大きく且つ前記ランダムアクセス画像を復号する復号処理の完了後に最初に復号対象となる画像、を含む１つ以上の復号対象画像の表示順番情報については、
当該復号対象画像の表示順番符号化データを復号して得られた、当該復号対象画像の表示順番情報と前記ランダムアクセス画像の表示順番情報との差分値と、
前記ランダムアクセス画像の表示順番情報とを、
加算することで、
当該復号対象画像の表示順番情報を復元する、
ことを特徴とする請求項１０に記載の動画像予測復号方法。
【請求項１２】
前記復元ステップにおいて前記動画像予測復号装置は、
前記ランダムアクセス画像の次に復号対象となる画像から、
表示順番情報が前記ランダムアクセス画像の表示順番情報より大きく且つ前記ランダムアクセス画像を生成する復号処理の完了後に最初に復号対象となる画像まで、
の各画像についての表示順番情報については、
当該各画像の表示順番符号化データを復号して得られた、当該各画像の表示順番情報と前記ランダムアクセス画像の表示順番情報との差分値と、
前記ランダムアクセス画像の表示順番情報とを、
加算することで、
当該各画像の表示順番情報を復元する、
ことを特徴とする請求項１０に記載の動画像予測復号方法。
【請求項１３】
コンピュータを、
動画像を構成する複数の画像を入力する入力手段と、
入力された前記画像を画面内予測又は画面間予測のいずれかの方法で符号化することで、ランダムアクセスとなる画像であるランダムアクセス画像、を含む圧縮画像データを生成するとともに、前記画像の表示順番情報に関するデータを符号化する符号化手段と、
生成された前記圧縮画像データを復号することで再生画像を復元する復元手段と、
復元された前記再生画像を、後続の画像を符号化するために用いられる参照画像として格納する画像格納手段と、
前記画像格納手段を制御するメモリ管理手段、
として動作させ、
前記メモリ管理手段は、前記ランダムアクセス画像を生成する符号化処理が完了した後、最初に、表示順番情報が前記ランダムアクセス画像の表示順番情報より大きい画像を符号化する直前又は直後に、前記画像格納手段に格納された参照画像のうち、前記ランダムアクセス画像を除く参照画像について不要と設定することで、前記画像格納手段をリフレッシュする、
ことを特徴とする動画像予測符号化プログラム。
【請求項１４】
コンピュータを、
動画像を構成する複数の画像を画面内予測又は画面間予測のいずれかの方法で符号化することで得られた、ランダムアクセスとなる画像であるランダムアクセス画像を含む圧縮画像データ、及び、前記画像の表示順番情報に関するデータを符号化することで得られた表示順番符号化データを入力する入力手段と、
前記圧縮画像データを復号することで再生画像を復元するとともに、前記表示順番符号化データを復号することで表示順番情報を復元する復元手段と、
復元された前記再生画像を、後続の画像を復号するために用いられる参照画像として格納する画像格納手段と、
前記画像格納手段を制御するメモリ管理手段、
として動作させ、
前記メモリ管理手段は、前記ランダムアクセス画像を復号する復号処理が完了した後、最初に、表示順番情報が前記ランダムアクセス画像の表示順番情報より大きい画像を復号する直前又は直後に、前記画像格納手段に格納された参照画像のうち、前記ランダムアクセス画像を除く参照画像について不要と設定することで、前記画像格納手段をリフレッシュする、
ことを特徴とする動画像予測復号プログラム。
【手続補正２】
【補正対象書類名】明細書
【補正対象項目名】００２１
【補正方法】変更
【補正の内容】
【００２１】
また、上記の復元手段は、ランダムアクセス画像の次に復号対象となる画像から、表示順番情報が前記ランダムアクセス画像の表示順番情報より大きく且つ前記ランダムアクセス画像を生成する復号処理の完了後に最初に復号対象となる画像まで、の各画像についての表示順番情報については、当該各画像の表示順番符号化データを復号して得られた、当該各画像の表示順番情報と前記ランダムアクセス画像の表示順番情報との差分値と、前記ランダムアクセス画像の表示順番情報とを、加算することで、当該各画像の表示順番情報を復元することが望ましい。
【手続補正３】
【補正対象書類名】明細書
【補正対象項目名】００２７
【補正方法】変更
【補正の内容】
【００２７】
また、上記の復元ステップにおいて前記動画像予測復号装置は、ランダムアクセス画像の次に復号対象となる画像から、表示順番情報が前記ランダムアクセス画像の表示順番情報より大きく且つ前記ランダムアクセス画像を生成する復号処理の完了後に最初に復号対象となる画像まで、の各画像についての表示順番情報については、当該各画像の表示順番符号化データを復号して得られた、当該各画像の表示順番情報と前記ランダムアクセス画像の表示順番情報との差分値と、前記ランダムアクセス画像の表示順番情報とを、加算することで、当該各画像の表示順番情報を復元することが望ましい。